(57)【要約】【課題】ガイドワイヤの表面に潤滑性を発現させるための前処理を、術者の手を煩わせることなく実行可能なガイドワイヤ収納体を提供する。【解決手段】ガイドワイヤ１０を収納可能な内腔を有するガイドワイヤ収納体２０において、内腔２０ｄが外部に連通する孔２０ｐを設けることとする。こうすれば、生理食塩水などの液体にガイドワイヤ収納体２０ごと浸しておくだけで、親水性コーティング処理が施されたガイドワイヤの前処理（潤滑性を発現させる処理）を行うことができる。その結果、術者がガイドワイヤ収容体２０の内腔２０ｄに液体を注入する手間が省けるので、前処理によって術者の手を煩わせることを回避可能となる。【選択図】図１
2014144132.tif 000002
【特許請求の範囲】
【請求項１】
ガイドワイヤを収納可能な内腔を有するガイドワイヤ収納体であって、
前記内腔には、外部に連通する孔が設けられているガイドワイヤ収納体。
【請求項２】
請求項１に記載のガイドワイヤ収納体であって、
前記孔は、前記内腔の軸方向に向かって長孔形状に形成されているガイドワイヤ収納体。
【請求項３】
請求項１または請求項２に記載のガイドワイヤ収納体であって、
前記孔は、前記内腔の軸方向に向かって断続的に複数設けられているガイドワイヤ収納体。
【請求項４】
請求項１ないし請求項３の何れかに記載のガイドワイヤ収納体であって、
前記孔は、前記内腔の中心軸の周りに螺旋状に設けられているガイドワイヤ収納体。
【請求項５】
請求項１ないし請求項４の何れかに記載のガイドワイヤ収納体であって、
前記内腔の軸方向と直交する方向の前記孔の幅は、前記ガイドワイヤの直径よりも小さく設定されているガイドワイヤ収納体。
【請求項６】
請求項１ないし請求項４の何れかに記載のガイドワイヤ収納体であって、
前記孔は、前記内腔に向かって幅が狭くなるテーパ形状に形成されており、
前記孔が最も狭くなる部分の幅が、前記ガイドワイヤの直径よりも小さく設定されているガイドワイヤ収納体。
【発明の詳細な説明】
【技術分野】
【０００１】
本発明は、ガイドワイヤを収納するガイドワイヤ収納体に関する。
【背景技術】
【０００２】
血管にカテーテルを挿入する際に用いるガイドワイヤが知られている。カテーテルを挿入する際には、先ずガイドワイヤを血管に挿入して病変部（例えば血管の閉塞部）付近まで進行させ、その後にガイドワイヤに沿ってカテーテルを進行させる。このようにカテーテルを血管の病変部付近まで挿入した状態で、カテーテルを介した各種の治療が行われる。
【０００３】
血管、あるいはカテーテル等の管内でガイドワイヤを円滑に進めるためには、ガイドワイヤの表面と血管内壁等との摩擦をできる限り低減させることが望ましい。こうした観点から、ガイドワイヤの表面を親水性のコーティング剤で覆う技術が提案されている（例えば、特許文献１）。このようなガイドワイヤを用いて手技を行う場合には、手技に先立ち、ガイドワイヤを生理食塩水などの液体中に浸す前処理を行うことによって、ガイドワイヤの表面に潤滑性を発現させる。
【０００４】
またガイドワイヤは通常、細いチューブ状のガイドワイヤ収納体に収納された状態で持ち運ばれる。ガイドワイヤ収納体内のガイドワイヤに親水性コーティングが施されている場合、ガイドワイヤ収容体内に生理食塩水などの液体を注入することによって上記前処理が行われる（例えば、特許文献２）。
【先行技術文献】
【特許文献】
【０００５】
【特許文献１】特開２００８−２３７６２１号公報
【特許文献２】特開平９−２２５０３７号公報
【発明の概要】
【発明が解決しようとする課題】
【０００６】
しかし、上述した前処理（ガイドワイヤ表面に潤滑性を発現させる処理）を行うには、術者が自らガイドワイヤ収納体内に液体を注入する必要があるため、前処理が煩雑になってしまうという問題があった。
【０００７】
この発明は、従来の技術が有する上述した課題に対応してなされたものであり、術者の手を煩わせることなく、ガイドワイヤの表面に潤滑性を発現させるための前処理を実行可能な技術の提供を目的とする。
【課題を解決するための手段】
【０００８】
上述した課題を解決するために、本発明のガイドワイヤ収納体は次の構成を採用した。すなわち、ガイドワイヤを収納可能な内腔を有するガイドワイヤ収納体であって、内腔には、外部に連通する孔が設けられていることを要旨とする。
【０００９】
このような本発明のガイドワイヤ収納体の内腔には、親水性のコーティング剤で表面が覆われたガイドワイヤが収納される。この状態で、ガイドワイヤ収納体（およびガイドワイヤ）を生理食塩水などの液体中に浸しておくと、ガイドワイヤ収納体の孔から内腔内に液体が流入することによって、ガイドワイヤの前処理（表面に潤滑性を発現させるための処理）を行うことができる。その結果、術者がガイドワイヤ収納体に液体を注入する作業が不要となるので、上記前処理によって術者の手を煩わせる事態を回避することが可能となる。
【００１０】
また、上述した本発明のガイドワイヤ収納体においては、ガイドワイヤ収納体の内腔の軸方向に向かって長孔形状に孔を形成することとしてもよい。
【００１１】
こうすれば、ガイドワイヤ収納体の内腔の軸方向に向かって速やかに液体を行き渡らせることができる。その結果、上記ガイドワイヤの前処理をより迅速に行うことが可能となる。また、このような長孔形状の孔は、ガイドワイヤ収納体の軸方向に向かって切り込み（スリット）を設けるだけで、簡単に形成することが可能である。
【００１２】
また、上述した本発明のガイドワイヤ収納体においては、内腔の軸方向に向かって断続的に複数の孔を設けることとしてもよい。
【００１３】
このようなガイドワイヤ収納体では、孔と孔との間の部分に壁（ガイドワイヤ収納体が貫通していない部分）が存在する。従ってその部分が障壁となることによって、ガイドワイヤがガイドワイヤ収納体の孔から外部に露出することを抑制することが可能となる。
【００１４】
また、上述した本発明のガイドワイヤ収納体においては、内腔の中心軸の周りに螺旋状に孔を設けることとしてもよい。
【００１５】
こうすれば、ガイドワイヤ収納体の柔軟性を確保することができる。ガイドワイヤ収納体（およびガイドワイヤ）は通常、同心円状に巻き束ねた状態で梱包されるので、ガイドワイヤ収納体の柔軟性を確保することによって、ガイドワイヤの梱包作業を行い易くすることが可能となる。
【００１６】
また、上述した本発明のガイドワイヤ収納体においては、内腔の軸方向と直交する方向の孔の幅を、ガイドワイヤの直径よりも小さく設定することとしてもよい。こうすれば、ガイドワイヤが孔からガイドワイヤ収納体の外部に露出することを確実に防止することができる。その結果、ガイドワイヤをより衛生的に保つことが可能となる。
【００１７】
また、上述した本発明のガイドワイヤ収納体においては、内腔に液体を流入させるための孔を次のように形成することとしてもよい。すなわち、ガイドワイヤ収納体の内腔に向かって幅が狭くなるテーパ形状に孔を形成することとする。そして、孔が最も狭くなる部分の幅を、ガイドワイヤの直径よりも小さく設定することとしてもよい。
【００１８】
このようにしても、孔が最も狭くなる部分の幅がガイドワイヤの直径よりも小さいので、ガイドワイヤがガイドワイヤ収納体の外部に露出することを防止することができる。また、ガイドワイヤ収納体の外周側での孔の幅（すなわち開口幅）を大きくすることができるので、ガイドワイヤ収納体内への液体の流入を促進することができる。その結果、上記ガイドワイヤの前処理をより迅速に行うことが可能となる。
【図面の簡単な説明】
【００１９】
【図１】第１実施形態のガイドワイヤ収納体の概略構成を示した説明図である。
【図２】第１実施形態のガイドワイヤ収納体の横断面図である。
【図３】第２実施形態のガイドワイヤ収納体の横断面図である。
【図４】第３実施形態のガイドワイヤ収納体の概略構成を示した説明図である。（ａ）はガイドワイヤ収納体の概観斜視図であり、（ｂ）および（ｃ）は図面上方から孔を見たときの様子を示した説明図である。
【図５】第４実施形態のガイドワイヤ収納体の概略構成を示した説明図である。（ａ）は、側面部の一箇所に四角穴形状の孔が設けられたガイドワイヤ収納体の概観斜視図であり、（ｂ）は、側面部の一箇所に丸穴形状の孔が設けられたガイドワイヤ収納体の概観斜視図である。
【図６】第５実施形態のガイドワイヤ収納体の側面図である。
【発明を実施するための形態】
【００２０】
Ａ．第１実施形態  ：
以下では、上述した本発明の内容を明確にするために、本発明のガイドワイヤ収納体の各種の実施形態を説明する。
図１は、第１実施形態のガイドワイヤ収納体２０の概略構成を示した説明図である。図示したガイドワイヤ収納体２０は、細長いチューブ形状に形成されており、その内腔内にガイドワイヤ１０が収納されている。
【００２１】
尚、図示した本実施形態のガイドワイヤ収納体２０は中空円筒形状に形成されている。しかし、ガイドワイヤ収納体２０は、内部にガイドワイヤ１０を収納するための内腔を備えているものであればよく、従って、例えばガイドワイヤ収納体２０を中空角柱形状に形成することとしてもよい（図示は省略）。
【００２２】
また、本実施形態のガイドワイヤ収納体２０には、その側面部に孔２０ｐが設けられている。この孔２０ｐは、ガイドワイヤ収納体２０（およびその内腔）の軸方向に向かって設けられており、ガイドワイヤ収納体２０の内腔は、孔２０ｐを介して外部と連通している。
【００２３】
尚、本実施形態のガイドワイヤ収納体２０では、孔２０ｐがガイドワイヤ収納体２０の端部にまでは到達させないようにしている。もちろん、ガイドワイヤ収納体２０の端部まで孔２０ｐを到達させてもよいが、本実施形態のようにすると、ガイドワイヤ収納体２０の端部でガイドワイヤ１０とガイドワイヤ収納体２０とが干渉することによって、ガイドワイヤ１０の外部への露出を抑制することが可能となる。
【００２４】
図２は、第１実施形態のガイドワイヤ収納体２０の横断面図である。尚、図２には、図１に示したＡ−Ａ断面を矢印の方向から見たときのガイドワイヤ収納体２０（およびガイドワイヤ１０）の横断面図が示されている。
図示されているように、ガイドワイヤ１０の表面には、血管内での潤滑性を確保するための潤滑層１２が設けられている。尚、潤滑層１２の構成材料としては、例えばセルロース系高分子物質、ポリエチレンオキサイド系高分子物質、無水マレイン酸系高分子物質（メチルビニルエーテル−無水マレイン酸共重合体など）、アクリルアミド系高分子物質（ポリアクリルアミド、ポリグリシジルメタクリレート−ジメチルアクリルアミド（ＰＧＭＡ−ＤＭＡＡ）のブロック共重合体など）、水溶性ナイロン、ポリビニルアルコール、ポリビニルピロリドンなどが挙げられる。
【００２５】
また、本実施形態のガイドワイヤ収納体２０の孔２０ｐは、その幅（内腔２０ｄの軸方向と直行する方向の幅）が所定幅ｂとなるように形成されている。そして孔２０ｐの幅ｂは、ガイドワイヤ収納体２０に収納されたガイドワイヤ１０の直径ａよりも小さく設定されている。
【００２６】
このような本実施形態のガイドワイヤ収納体２０に収納されたガイドワイヤ１０を使用する際には、使用に先立って次のような作業を行う。先ず、ガイドワイヤ収納体２０が収まる大きさの容器（バットなど）を用意して、この容器内に生理食塩水などの液体を入れる。次に、ガイドワイヤ収納体２０ごとガイドワイヤ１０を容器内の液体に浸す。こうすると、孔２０ｐからガイドワイヤ収納体２０の内腔２０ｄに液体が流入して、ガイドワイヤ１０の表面（潤滑層１２）に液体が接触する。その結果、ガイドワイヤ１０の表面に潤滑性を発現させることができる。
【００２７】
ここで、従来のガイドワイヤ収納体のようにガイドワイヤ収納体に孔が設けられていない場合、ガイドワイヤ１０の表面に潤滑性を発現させるための前処理を行うには、ガイドワイヤ収納体の端部からシリンジなどを用いて内腔内に液体を注入する必要がある。これに対して、本実施形態のガイドワイヤ収納体２０のように孔２０ｐを設けておくと、液体を入れた容器内にガイドワイヤ収納体２０（およびガイドワイヤ１０）を浸すだけで、上記前処理を行うことができる。その結果、前処理にかかる手間を省くことができるので、術者はスムーズに手技を開始することが可能となる。
【００２８】
また、本実施形態のガイドワイヤ収納体２０では、孔２０ｐがガイドワイヤ収納体２０（およびその内腔２０ｄ）の軸方向に向かって長孔形状に形成されている。従って、内腔２０ｄの軸方向に向かって速やかに液体を行き渡らせることができる。その結果、上記ガイドワイヤ１０の前処理にかかる時間を短縮することが可能となる。
【００２９】
さらに、本実施形態のガイドワイヤ収納体２０は、孔２０ｐの幅ｂ（内腔２０ｄの軸方向と直行する方向の幅ｂ）が、ガイドワイヤ１０の直径ａよりも小さく設定されている（図２を参照）。ここで、孔２０ｐの幅ｂはガイドワイヤ１０の直径ａよりも大きく設定することとしてもよい。もっとも、本実施形態のように、孔２０ｐの幅ｂをガイドワイヤ１０の直径ａよりも小さく設定することによって、ガイドワイヤ収納体２０の孔２０ｐからガイドワイヤ１０が露出することを防ぐことができる。その結果、孔２０ｐを設けたことに起因して、ガイドワイヤ１０が汚れてしまう事態を回避することが可能となる。
【００３０】
上述した第１実施形態には、関連する他の実施形態が存在する。以下では、他の実施形態について簡単に説明する。尚、以下の説明では、第１実施形態のガイドワイヤ収納体２０と同じ構成については同じ番号を付すこととし、その詳細な説明を省略する。
【００３１】
Ｂ．第２実施形態  ：
図３は、第２実施形態のガイドワイヤ収納体２２の横断面図である。図示した本実施形態のガイドワイヤ収納体２２は、前述した第１実施形態のガイドワイヤ収納体２０と比較して孔２２ｐの形状が異なっている。すなわち本実施形態のガイドワイヤ収納体２２では、孔２２ｐの形状が、内腔２０ｄに向かって（換言すれば、ガイドワイヤ収納体２２の外周面から内周面に向かって）幅が狭くなるテーパ形状に形成されている。孔２２ｐが最も狭くなる部分の幅ｂの大きさが、ガイドワイヤ１０の直径ａよりも小さく設定されている。
【００３２】
尚、図示した本実施形態のガイドワイヤ収納体２２では、孔２２ｐが最も広くなる部分（ガイドワイヤ収納体２２の外周側の開口部）の幅ｃが、ガイドワイヤ１０の直径ａよりも大きく設定されている。しかし幅ｃの大きさは、孔２２ｐが最も狭くなる部分の幅ｂよりも大きく、且つガイドワイヤ１０の直径よりも小さく設定することとしてもよい。（図示は省略）。
【００３３】
このような本実施形態のガイドワイヤ収納体２２においても、その側面部に孔２２ｐが設けられているので、上述した第１実施形態のガイドワイヤ収納体２０と同様に、ガイドワイヤ１０の上記前処理を簡単に行うことができる。また、孔２２ｐが最も狭くなる部分の幅ｂがガイドワイヤ１０の直径ａよりも小さく設定されているので、ガイドワイヤ収納体２２からのガイドワイヤ１０の露出を防止することができる。さらに、本実施形態のガイドワイヤ収納体２２では、孔２２ｐがテーパ形状に形成されており、このことによって第１実施形態に比べて孔２２ｐがガイドワイヤ収納体２２の外周側に大きく開口した状態となっている。この結果、外部からのガイドワイヤ収納体２２内への液体（生理食塩水など）の取り込みが促進されるので、上記前処理をより迅速に行うことが可能となる。
【００３４】
Ｃ．第３実施形態  ：
上述した第１実施形態および第２実施形態のガイドワイヤ収納体では、孔がガイドワイヤ収納体およびその内腔の軸方向に向かって長孔形状に（換言すれば連続的に）設けられているものとして説明した。これに対して、ガイドワイヤ収納体（およびその内腔）の軸方向に向かって断続的に、孔を設けることとしてもよい。
【００３５】
図４は、第３実施形態のガイドワイヤ収納体２４の概略構成を示した説明図である。（ａ）はガイドワイヤ収納体２４の概観斜視図であり、（ｂ）および（ｃ）は図面上方から孔２４ｐを見たときの様子を示した説明図である。
図示した本実施形態のガイドワイヤ収納体２４の側面部には、ガイドワイヤ収納体２４（およびその内腔）の軸方向に向かって、複数の小さな孔２４ｐが一列に並べて（すなわち断続的に）設けられている。
【００３６】
尚、本実施形態では、図４（ｂ）に示されているように孔２４ｐが四角穴形状に形成されているが、図４（ｃ）に示されているように、孔２４ｐを丸穴形状にすることとしてもよい。
【００３７】
また、本実施形態の孔２４ｐの断面形状は、上述した第１実施形態の孔２０ｐの断面形状（図２を参照）や、第２実施形態の孔２２ｐの断面形状（図３を参照）などとすることができる（図示は省略）。
【００３８】
このような本実施形態のガイドワイヤ収納体２４においても、上述した第１実施形態および第２実施形態のガイドワイヤ収納体と同様に、液体を入れた容器内にガイドワイヤ収納体２４（およびガイドワイヤ１０）を浸すだけで、上記前処理を行うことができる。また、本実施形態のように孔２４ｐを断続的に設けると、孔２４ｐと孔２４ｐとの間に壁（ガイドワイヤ収納体２４が貫通していない部分）が存在する。従ってこの部分がガイドワイヤ１０と干渉することによって、ガイドワイヤ１０がガイドワイヤ収納体２４の外部に露出することを抑制することが可能となる。
【００３９】
Ｄ．第４実施形態  ：
上述した第３実施形態のガイドワイヤ収納体２４においては、ガイドワイヤ収納体２４およびその内腔２０ｄの軸方向に向かって、複数の孔２４ｐを断続的に設けるものと説明した。しかし、孔はガイドワイヤ収納体の側面部の一箇所にのみ設けられていてもよい。
【００４０】
図５は、第４実施形態のガイドワイヤ収納体２６の概略構成を示した説明図である。
（ａ）は、側面部の一箇所に四角穴形状の孔が設けられたガイドワイヤ収納体の概観斜視図であり、（ｂ）は、側面部の一箇所に丸穴形状の孔が設けられたガイドワイヤ収納体の概観斜視図である。
【００４１】
このような本実施形態のガイドワイヤ収納体２６においても、上述した各種実施形態のガイドワイヤ収納体と同様に、ガイドワイヤ１０の上記前処理を簡単に行うことができる。また、ガイドワイヤ収納体２６の側面部の一箇所を貫通させるだけで、簡単に孔２６ｐを設けることが可能となる。
【００４２】
Ｅ．第５実施形態  ：
上述した第１実施形態ないし第３実施形態のガイドワイヤ収納体においては、ガイドワイヤ収納体（およびその内腔）の軸方向に向かって直線的に孔を設けるものと説明した。しかし次のようにして、孔を内腔の中心軸の周りに螺旋状に設けることとしてもよい。
【００４３】
図６は、第４実施形態のガイドワイヤ収納体２８の側面図である。図示されているように本実施形態のガイドワイヤ収納体２８には、内腔２０ｄの中心軸の周りに螺旋状に孔２８ｐが設けられている。尚、図示した例では、孔２８ｐが途切れなく（連続的に）設けられているが、上述した第３実施形態のガイドワイヤ収納体２４のように孔２８ｐを断続的に設けることとし、それらの孔２８ｐを内腔２０ｄの中心軸の周りに螺旋状に配置することとしてもよい（図示は省略）。また、本実施形態の孔２８ｐの断面形状は、上述した第１実施形態の孔２０ｐの断面形状（図２を参照）や、第２実施形態の孔２２ｐの断面形状（図３を参照）などとすることができる（図示は省略）。
【００４４】
このようにガイドワイヤ収納体２８においても、上述した各種実施形態のガイドワイヤ収納体と同様に、ガイドワイヤ１０の上記前処理を簡単に行うことができる。また、孔２８ｐが内腔２０ｄの中心軸の周りに螺旋状に設けられているので、上述した各種実施形態のガイドワイヤ収納体と比較して、ガイドワイヤ収納体２６の柔軟性を確保することができる。その結果、ガイドワイヤ収納体２８（およびガイドワイヤ１０）を巻き束ねて梱包する際に、巻き束ね易くすることが可能となる。
【００４５】
以上、各種実施形態のガイドワイヤ収納体について説明したが、本発明は上記の実施形態に限られるものではなく、その要旨を逸脱しない範囲において種々の態様で実施することが可能である。例えば、上述した各種実施形態のガイドワイヤ収納体では、その軸方向に向かって孔を一列のみ設けるものと説明したが、孔は複数列設けることとしてもよい。こうすれば、ガイドワイヤ収納体の開口面積を増加させることができるので、孔が一列のみの場合に比べてガイドワイヤ収納体の内腔内により迅速に液体を流入させることができる。その結果、ガイドワイヤ１０の表面に潤滑性を発現させるための前処理を早期に完了させて、よりスムーズに手技に移ることが可能となる。
【符号の説明】
【００４６】
１０・・・ガイドワイヤ、
１２・・・潤滑層、
２０，２２，２４，２６，２８・・・ガイドワイヤ収納体、
２０ｄ・・・内腔、
２０ｐ，２２ｐ，２４ｐ，２６ｐ，２８ｐ・・・孔
【図１】
2014144132.tif 000003
【図２】
2014144132.tif 000004
【図３】
2014144132.tif 000005
【図４】
2014144132.tif 000006
【図５】
2014144132.tif 000007
【図６】
2014144132.tif 000008